(57)【要約】【課題】動画ボケをより少なくする。【解決手段】ΔΣ変調部３２−１は、入力された動画像の信号をパルス密度変調する。フレーム補間部３４の動き補償部５１−１は、パルス密度変調された動画像の信号であるパルス密度変調信号の各パルスを動き補償する。フレーム補間部３４は、各パルスが動き補償されたパルス密度変調信号により、LCDまたはPDPなどの表示デバイス３６を駆動する。本発明は表示装置に適用できる。【選択図】図６
2008276084.tif 000002
【特許請求の範囲】
【請求項１】
動画像の信号をパルス密度変調する第１の変調手段と、
パルス密度変調された動画像の信号であるパルス密度変調信号の各パルスを動き補償する第１の動き補償手段と
を備える表示制御装置。
【請求項２】
各パルスが動き補償された前記パルス密度変調信号により表示デバイスを駆動する駆動手段をさらに備える
請求項１に記載の表示制御装置。
【請求項３】
前記第１の変調手段は、前記動画像の第１のフレームの信号をパルス密度変調し、
前記第１の動き補償手段は、前記第１のフレームの信号がパルス密度変調されたパルス密度変調信号の各パルスを動き補償し、
前記第１のフレームに隣接する第２のフレームであって、前記動画像の第２のフレームの信号をパルス密度変調する第２の変調手段と、
前記動画像の前記第２のフレームの信号がパルス密度変調されたパルス密度変調信号の各パルスを動き補償する第２の動き補償手段と
を更に備え、
前記駆動手段は、各パルスがそれぞれに動き補償された、前記第１のフレームの信号がパルス密度変調されたパルス密度変調信号と、前記第２のフレームの信号がパルス密度変調されたパルス密度変調信号とにより前記表示デバイスを駆動する
請求項２に記載の表示制御装置。
【請求項４】
前記駆動手段は、
前記第１のフレームの信号がパルス密度変調され、各パルスが動き補償されたパルス密度変調信号であって、前記第１のフレームの時刻から前記第１のフレームの次の前記第２のフレームの時刻までの時間に配置されたパルス密度変調信号に、前記第１のフレームの時刻から前記第２のフレームの時刻までの時間と、各パルスの時刻から前記第２のフレームの時刻までの時間との比率を重みとして重み付けする第１の重み付け手段と、
前記第１のフレームの次の前記第２のフレームの信号がパルス密度変調され、各パルスが動き補償されたパルス密度変調信号であって、前記第１のフレームの時刻から前記第２のフレームの時刻までの時間に配置されたパルス密度変調信号に、前記第１のフレームの時刻から前記第２のフレームの時刻までの時間と、前記第１のフレームの時刻から各パルスの時刻までの時間との比率を重みとして重み付けする第２の重み付け手段と、
それぞれに重み付けされた、前記第１のフレームの信号がパルス密度変調されたパルス密度変調信号と前記第２のフレームの信号がパルス密度変調されたパルス密度変調信号とを加算する加算手段と
を備え、
加算の結果により前記表示デバイスを駆動する
請求項３に記載の表示制御装置。
【請求項５】
前記駆動手段における加算の結果をパルス密度変調して、前記表示デバイスに供給する第３の変調手段をさらに備える
請求項４に記載の表示制御装置。
【請求項６】
前記駆動手段は、
前記第１のフレームの信号がパルス密度変調され、各パルスが動き補償されたパルス密度変調信号であって、前記第１のフレームの時刻から前記第１のフレームの次の前記第２のフレームの時刻までの時間に配置されたパルス密度変調信号で、前記第１のフレームの時刻から前記第２のフレームの時刻までが所定の数に分割されたサブフレームのそれぞれの最初の時間のうち、前記第１のフレームの時刻から前記第２のフレームの時刻までの時間に対する、各パルスの時刻から前記第２のフレームの時刻までの時間の比率の長さの時間において、前記表示デバイスを駆動し、
前記第１のフレームの次の前記第２のフレームの信号がパルス密度変調され、各パルスが動き補償されたパルス密度変調信号であって、前記第１のフレームの時刻から前記第１のフレームの次の前記第２のフレームの時刻までの時間に配置されたパルス密度変調信号で、前記サブフレームのそれぞれの残りの時間において、前記表示デバイスを駆動する
請求項３に記載の表示制御装置。
【請求項７】
動画像の信号をパルス密度変調し、
パルス密度変調された動画像の信号であるパルス密度変調信号の各パルスを動き補償する
ステップを含む表示制御方法。
【請求項８】
動画像の信号をパルス密度変調し、
パルス密度変調された動画像の信号であるパルス密度変調信号の各パルスを動き補償する
ステップを含む処理をコンピュータに行わせるプログラム。
【発明の詳細な説明】
【技術分野】
【０００１】
本発明は表示制御装置および方法、並びにプログラムに関し、特に、動画ボケをより少なくするようにした表示制御装置および方法、並びにプログラムに関する。
【背景技術】
【０００２】
LCD（liquid crystal display）の液晶の応答速度が速くなるのに伴い、動画ボケの原因として、ホールド時間が注目されるようになってきた。
【０００３】
図１は、25%のグレイ（75%の輝度）の左端から、75%のグレイ（25%の輝度）の右端まで、その輝度が連続的に変化する物体の画像が、左から右に移動し、視線がそれを追った場合に認知される画像を示す図である。
【０００４】
図１において、縦方向は、時間方向を示し、上側から下側に向かい時間が経過する。図１において、横方向は、空間方向を示す。
【０００５】
１秒間に６０フレームを表示するLCDにおいて、１フレーム当たりの時間である1/60秒を単位として、１つの画像が表示される。
【０００６】
図１中の点線は、左から右に移動する物体の画像を追従する視線の視点を示す。
【０００７】
図１中のＡで示されるように、物体の画像の左端への視点に注目すると、左端の画像と背景とが混合された画像が認知され、動画ボケが生じる。同様に、物体の画像の右端においても、物体の右端の画像と背景とが混合された画像が認知され、動画ボケが生じる。
【０００８】
図２に示されるように、PDP（plasma display panel）は、２の１乗乃至２のｎ（ｎは正の整数）乗の比率の長さとされるそれぞれのサブフレームにおいて発光するか否かの発光パターンによって階調を表現するので、発光継続時間により、LCDと同様に動画ボケが認知される。
【０００９】
図２において、縦方向は、時間方向を示し、上側から下側に向かい時間が経過する。図２において、横方向は、空間方向を示す。
【００１０】
PDPにおいては、図２中のＢで示されるように、発光パターンによっては疑似輪郭が発生してしまう。
【００１１】
従来、１フィールドの表示期間をＮ個のサブフィールドに分割し、その内の連続配置されたＭ個(２≦Ｍ≦Ｎ)のサブフィールドからなるサブフィールド群における先頭部のサブフィールドにおいてのみで全ての放電セルを発光セル又は非発光セルのいずれか一方の状態に初期化する放電を生起し、上記サブフィールド群内のいずれか１のサブフィールドにおいて上記放電セルを非発光セル又は発光セルの一方に設定する放電を生起させる第１の画素データパルスを印加し、その後に存在するサブフィールの内の少なくとも１において上記画素データパルスと同一の第２の画素データパルスを印加して、各サブフィールドにおいて上記発光セルのみをサブフィールドの重み付けに対応した発光期間だけ発光させるようにしているものもある（例えば、特許文献１参照）。
【００１２】
【特許文献１】特開２０００−２３１３６２号公報
【発明の開示】
【発明が解決しようとする課題】
【００１３】
しかしながら、疑似輪郭については、特許文献１に記載の方式またはその他の方式でその軽減が試みられているが、そのような方式では動画ボケを軽減することはできない。
【００１４】
また、前後のフレームからその中間のフレームを予測することにより補間し、見かけ上のホールド時間を短くするものもある。この方式によれば、補間するフレームの数を増やしていくことにより、動画ボケは劇的に改善される。
【００１５】
図３に示されるように、１秒間に４８０フレームを表示するようにすれば、図３中のＣで示されるように、動画ボケは劇的に少なくなる。
【００１６】
しかし、その様な高フレームレートで、LCDやPDPを駆動することは非常に困難である。LCDにおいては、高速なD/A（digital to analog）変換器とパネルの応答速度が要求される。PDPにおいては、より短い１フレーム当たりの時間を、更に細分化した発光パターンで画像を表示しなければならない。
【００１７】
よって、このような方式は現実的ではない。
【００１８】
一方、図４に示されるように、表示デバイスをパルス密度変調信号で駆動することも考えられるが、それだけでは、図４中のＤで示されるように、動画ボケを少なくすることはできない。
【００１９】
なお、図３および図４において、縦方向は、時間方向を示し、上側から下側に向かい時間が経過する。図３および図４において、横方向は、空間方向を示す。
【００２０】
本発明は、このような状況に鑑みてなされたものであり、動画ボケをより少なくすることができるようにするものである。
【課題を解決するための手段】
【００２１】
本発明の一側面の表示制御装置は、動画像の信号をパルス密度変調する第１の変調手段と、パルス密度変調された動画像の信号であるパルス密度変調信号の各パルスを動き補償する第１の動き補償手段とを備える。
【００２２】
各パルスが動き補償された前記パルス密度変調信号により表示デバイスを駆動する駆動手段をさらに設けることができる。
【００２３】
前記第１の変調手段には、前記動画像の第１のフレームの信号をパルス密度変調させ、前記第１の動き補償手段には、前記第１のフレームの信号がパルス密度変調されたパルス密度変調信号の各パルスを動き補償させ、前記第１のフレームに隣接する第２のフレームであって、前記動画像の第２のフレームの信号をパルス密度変調する第２の変調手段と、前記動画像の前記第２のフレームの信号がパルス密度変調されたパルス密度変調信号の各パルスを動き補償する第２の動き補償手段とを更に設け、前記駆動手段には、各パルスがそれぞれに動き補償された、前記第１のフレームの信号がパルス密度変調されたパルス密度変調信号と、前記第２のフレームの信号がパルス密度変調されたパルス密度変調信号とにより前記表示デバイスを駆動させることができる。
【００２４】
前記駆動手段に、前記第１のフレームの信号がパルス密度変調され、各パルスが動き補償されたパルス密度変調信号であって、前記第１のフレームの時刻から前記第１のフレームの次の前記第２のフレームの時刻までの時間に配置されたパルス密度変調信号に、前記第１のフレームの時刻から前記第２のフレームの時刻までの時間と、各パルスの時刻から前記第２のフレームの時刻までの時間との比率を重みとして重み付けする第１の重み付け手段と、前記第１のフレームの次の前記第２のフレームの信号がパルス密度変調され、各パルスが動き補償されたパルス密度変調信号であって、前記第１のフレームの時刻から前記第２のフレームの時刻までの時間に配置されたパルス密度変調信号に、前記第１のフレームの時刻から前記第２のフレームの時刻までの時間と、前記第１のフレームの時刻から各パルスの時刻までの時間との比率を重みとして重み付けする第２の重み付け手段と、それぞれに重み付けされた、前記第１のフレームの信号がパルス密度変調されたパルス密度変調信号と前記第２のフレームの信号がパルス密度変調されたパルス密度変調信号とを加算する加算手段とを設け、前記駆動手段には、加算の結果により前記表示デバイスを駆動させることができる。
【００２５】
前記駆動手段における加算の結果をパルス密度変調して、前記表示デバイスに供給する第３の変調手段をさらに設けることができる。
【００２６】
前記駆動手段には、前記第１のフレームの信号がパルス密度変調され、各パルスが動き補償されたパルス密度変調信号であって、前記第１のフレームの時刻から前記第１のフレームの次の前記第２のフレームの時刻までの時間に配置されたパルス密度変調信号で、前記第１のフレームの時刻から前記第２のフレームの時刻までが所定の数に分割されたサブフレームのそれぞれの最初の時間のうち、前記第１のフレームの時刻から前記第２のフレームの時刻までの時間に対する、各パルスの時刻から前記第２のフレームの時刻までの時間の比率の長さの時間において、前記表示デバイスを駆動させ、前記第１のフレームの次の前記第２のフレームの信号がパルス密度変調され、各パルスが動き補償されたパルス密度変調信号であって、前記第１のフレームの時刻から前記第１のフレームの次の前記第２のフレームの時刻までの時間に配置されたパルス密度変調信号で、前記サブフレームのそれぞれの残りの時間において、前記表示デバイスを駆動させることができる。
【００２７】
本発明の一側面の表示制御方法は、動画像の信号をパルス密度変調し、パルス密度変調された動画像の信号であるパルス密度変調信号の各パルスを動き補償するステップを含む。
【００２８】
本発明の一側面のプログラムは、動画像の信号をパルス密度変調し、パルス密度変調された動画像の信号であるパルス密度変調信号の各パルスを動き補償するステップを含む処理をコンピュータに行わせる。
【００２９】
本発明の一側面においては、動画像の信号がパルス密度変調され、パルス密度変調された動画像の信号であるパルス密度変調信号の各パルスが動き補償される。
【発明の効果】
【００３０】
以上のように、本発明の一側面によれば、動画像を表示させることができる。
【００３１】
また、本発明の一側面によれば、動画ボケをより少なくすることができる。
【発明を実施するための最良の形態】
【００３２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３３】
本発明の一側面の表示制御装置は、動画像の信号をパルス密度変調する第１の変調手段（例えば、図６のΔΣ変調部３２−１）と、パルス密度変調された動画像の信号であるパルス密度変調信号の各パルスを動き補償する第１の動き補償手段（例えば、図６の動き補償部５１−１）とを備える。
【００３４】
各パルスが動き補償された前記パルス密度変調信号により表示デバイスを駆動する駆動手段（例えば、図６のフレーム補間部３４）をさらに設けることができる。
【００３５】
前記第１の変調手段には、前記動画像の第１のフレームの信号をパルス密度変調させ、前記第１の動き補償手段には、前記第１のフレームの信号がパルス密度変調されたパルス密度変調信号の各パルスを動き補償させ、前記第１のフレームに隣接する第２のフレームであって、前記動画像の第２のフレームの信号をパルス密度変調する第２の変調手段（例えば、図６のΔΣ変調部３２−２）と、前記動画像の前記第２のフレームの信号がパルス密度変調されたパルス密度変調信号の各パルスを動き補償する第２の動き補償手段（例えば、図６の動き補償部５１−２）とを更に設け、前記駆動手段には、各パルスがそれぞれに動き補償された、前記第１のフレームの信号がパルス密度変調されたパルス密度変調信号と、前記第２のフレームの信号がパルス密度変調されたパルス密度変調信号とにより前記表示デバイスを駆動させることができる。
【００３６】
前記駆動手段に、前記第１のフレームの信号がパルス密度変調され、各パルスが動き補償されたパルス密度変調信号であって、前記第１のフレームの時刻から前記第１のフレームの次の前記第２のフレームの時刻までの時間に配置されたパルス密度変調信号に、前記第１のフレームの時刻から前記第２のフレームの時刻までの時間と、各パルスの時刻から前記第２のフレームの時刻までの時間との比率を重みとして重み付けする第１の重み付け手段（例えば、図６の乗算器５２−１）と、前記第１のフレームの次の前記第２のフレームの信号がパルス密度変調され、各パルスが動き補償されたパルス密度変調信号であって、前記第１のフレームの時刻から前記第２のフレームの時刻までの時間に配置されたパルス密度変調信号に、前記第１のフレームの時刻から前記第２のフレームの時刻までの時間と、前記第１のフレームの時刻から各パルスの時刻までの時間との比率を重みとして重み付けする第２の重み付け手段（例えば、図６の乗算器５２−２）と、それぞれに重み付けされた、前記第１のフレームの信号がパルス密度変調されたパルス密度変調信号と前記第２のフレームの信号がパルス密度変調されたパルス密度変調信号とを加算する加算手段（例えば、図６の加算器５３）とを設け、前記駆動手段には、加算の結果により前記表示デバイスを駆動させることができる。
【００３７】
前記駆動手段における加算の結果をパルス密度変調して、前記表示デバイスに供給する第３の変調手段（例えば、図６のΔΣ変調部３５）をさらに設けることができる。
【００３８】
本発明の一側面の表示制御方法またはプログラムがコンピュータに行わせる処理は、動画像の信号をパルス密度変調し（例えば、図１４のステップＳ１１）、パルス密度変調された動画像の信号であるパルス密度変調信号の各パルスを動き補償する（例えば、図１４のステップＳ１３）ステップを含む。
【００３９】
図５は、本発明の一実施の形態の表示制御装置の構成の一例を示すブロック図である。図１の表示制御装置は、フレームメモリ１１−１、フレームメモリ１１−２、フレーム補間部１２、およびΔΣ変調部１３からなる。図１の表示制御装置は、表示デバイス１４に、入力された動画像（入力動画）の信号に応じた画像を表示させる。
【００４０】
表示制御装置に入力された動画像（入力動画）の信号は、フレームメモリ１１−１に供給される。例えば、いわゆるベースバンドの動画像の信号が表示制御装置に入力される。
【００４１】
フレームメモリ１１−１は、入力された動画像の信号を、フレームを単位として一時的に記憶する。フレームメモリ１１−１は、記憶している動画像のフレームの信号をフレームメモリ１１−２およびフレーム補間部１２に供給する。
【００４２】
例えば、フレームメモリ１１−１は、１フレーム当たりの時間において入力される、動画像のフレームの信号を記憶して、次のフレームについての１フレーム当たりの時間において、記憶している動画像のフレームの信号をフレームメモリ１１−２およびフレーム補間部１２に供給する。
【００４３】
例えば、動画像の信号は、所定のサンプリング周波数Fsのサンプル当たり８ビットの信号とされ、フレームメモリ１１−１は、サンプリング周波数Fsのサンプル当たり８ビットの、動画像のフレームの信号をフレームメモリ１１−２およびフレーム補間部１２に供給する。
【００４４】
フレームメモリ１１−２は、フレームメモリ１１−１から供給された動画像のフレームの信号を、フレームを単位として一時的に記憶する。フレームメモリ１１−２は、記憶している動画像のフレームの信号をフレーム補間部１２に供給する。
【００４５】
例えば、フレームメモリ１１−２は、フレームメモリ１１−１から供給された動画像のフレームの信号を記憶して、その次（後）のフレームについての１フレーム当たりの時間において、記憶している動画像のフレームの信号をフレーム補間部１２に供給する。
【００４６】
すなわち、フレームメモリ１１−２は、フレームメモリ１１−１がフレーム補間部１２に供給するフレームの１つ前のフレームの信号をフレーム補間部１２に供給する。フレーム補間部１２には、隣接するフレームの信号が供給されることになる。
【００４７】
例えば、フレームメモリ１１−２は、サンプリング周波数Fsのサンプル当たり８ビットの、動画像のフレームの信号をフレーム補間部１２に供給する。
【００４８】
フレーム補間部１２は、フレームメモリ１１−１から供給された動画像のフレームの信号とフレームメモリ１１−２から供給された動画像のフレームの信号とから、その隣接する２つのフレームの中間に配置されるフレームを生成して、フレームを補間する。
【００４９】
例えば、フレーム補間部１２は、２つのフレームのそれぞれの画素であって、対応する位置の画素の画素値に、線形演算を適用することにより、２つのフレームの中間に配置されるフレームの対応する画素の画素値を演算する。例えば、フレーム補間部１２は、２つのフレームのそれぞれの画素であって、一方のフレームの画素から動きベクトルで示される位置の他方のフレームの画素に対して、その画素値に線形演算または非線形演算を適用することにより、２つのフレームの中間に配置されるフレームの対応する画素の画素値を演算する。
【００５０】
フレーム補間部１２は、サンプル当たり８ビットの、フレームが補間された動画像の信号をΔΣ変調部１３に供給する。
【００５１】
ΔΣ変調部１３は、フレーム補間部１２から供給された、フレームが補間された動画像の信号をΔΣ変調することで、パルス密度変調信号を生成する。ΔΣ変調部１３は、生成したパルス密度変調信号で表示デバイス１４を駆動する。
【００５２】
例えば、ΔΣ変調部１３は、入力された動画像の信号のサンプリング周波数Fsに対してｎ（ｎは正の整数）倍のサンプリング周波数nFsのサンプル当たり１ビットのパルス密度変調信号で表示デバイス１４を駆動する。
【００５３】
表示デバイス１４は、LCDまたはPDPなどであり、ΔΣ変調部１３の駆動により、パルス密度変調信号に応じた画像を表示する。
【００５４】
また、フレームメモリ１１−１、フレームメモリ１１−２、フレーム補間部１２、ΔΣ変調部１３、および表示デバイス１４によって、表示装置を構成するようにしてもよい。
【００５５】
次に、表示制御装置の構成の他の例について説明する。
【００５６】
図６は、本発明の一実施の形態の表示制御装置の構成の他の例を示すブロック図である。図６の表示制御装置は、フレームメモリ３１−１、フレームメモリ３１−２、ΔΣ変調部３２−１、ΔΣ変調部３２−２、動きベクトル検出部３３、フレーム補間部３４、およびΔΣ変調部３５からなる。図６の表示制御装置は、表示デバイス３６に、入力された動画像（入力動画）の信号に応じた画像を表示させる。
【００５７】
表示制御装置に入力された動画像（入力動画）の信号は、フレームメモリ３１−２に供給される。例えば、サンプリング周波数Fsのサンプル当たり８ビットの、いわゆるベースバンドの動画像の信号が表示制御装置に入力される。
【００５８】
フレームメモリ３１−２は、入力された動画像の信号を、フレームを単位として一時的に記憶する。フレームメモリ３１−２は、記憶している動画像のフレームの信号を、フレームメモリ３１−１、ΔΣ変調部３２−２、および動きベクトル検出部３３に供給する。
【００５９】
例えば、フレームメモリ３１−２は、動画像のフレームのうちの、１フレーム当たりの時間において入力される１つのフレームの信号を記憶する。そして、フレームメモリ３１−２は、次のフレームについての１フレーム当たりの時間において、記憶している動画像のフレームの信号を、フレームメモリ３１−１、ΔΣ変調部３２−２、および動きベクトル検出部３３に供給する。
【００６０】
例えば、フレームメモリ３１−２は、入力される１つのフレームの信号の記憶と、記憶している動画像のフレームの信号の出力とを並列に実行する。
【００６１】
より具体的には、１秒間に６０フレームからなる動画像の信号が入力される場合、フレームメモリ３１−２は、1/60秒間に入力されるi（iは整数）番目のフレームの信号を記憶する。また、フレームメモリ３１−２は、その1/60秒間において、記憶している１つ前のフレーム、すなわち（i-1）番目のフレームの信号を出力する。
【００６２】
そして、次の1/60秒間において、フレームメモリ３１−２は、記憶しているi番目のフレームの信号を出力するとともに、（i+1）番目のフレームの信号を記憶する。
【００６３】
例えば、動画像の信号が、サンプリング周波数Fsのサンプル当たり８ビットの信号である場合、フレームメモリ３１−２は、サンプリング周波数Fsのサンプル当たり８ビットの動画像のフレームの信号を、フレームメモリ３１−１、ΔΣ変調部３２−２、および動きベクトル検出部３３に供給する。
【００６４】
フレームメモリ３１−１は、フレームメモリ３１−２と同様に構成され、フレームメモリ３１−２から供給された動画像のフレームの信号を、フレームを単位として一時的に記憶する。フレームメモリ３１−１は、記憶している動画像のフレームの信号をΔΣ変調部３２−１および動きベクトル検出部３３に供給する。
【００６５】
例えば、フレームメモリ３１−１は、１つのフレームについての１フレーム当たりの時間において、フレームメモリ３１−２から供給された動画像のフレームの信号を記憶する。そして、フレームメモリ３１−１は、その次のフレームについての１フレーム当たりの時間において、記憶している動画像のフレームの信号をΔΣ変調部３２−１および動きベクトル検出部３３に供給する。
【００６６】
例えば、フレームメモリ３１−１は、入力される１つのフレームの信号の記憶と、記憶している動画像のフレームの信号の出力とを並列に実行する。
【００６７】
より具体的には、１秒間に６０フレームからなる動画像の信号が入力される場合、フレームメモリ３１−２が、１フレーム当たりの時間である1/60秒間において、記憶している（i-1）番目のフレームの信号を出力するとき、フレームメモリ３１−１は、その1/60秒間において、フレームメモリ３１−２から供給された（i-1）番目のフレームの信号を記憶する。また、フレームメモリ３１−１は、その1/60秒間において、記憶している１つ前のフレーム、すなわち（i-2）番目のフレームの信号を出力する。
【００６８】
そして、次の1/60秒間において、フレームメモリ３１−１は、記憶している（i-1）番目のフレームの信号を出力するとともに、フレームメモリ３１−２から供給されるi番目のフレームの信号を記憶する。
【００６９】
すなわち、フレームメモリ３１−１は、フレームメモリ３１−２がΔΣ変調部３２−２および動きベクトル検出部３３に供給するフレームの信号の１つ前のフレームの信号をΔΣ変調部３２−１および動きベクトル検出部３３に供給する。ΔΣ変調部３２−１およびΔΣ変調部３２−２には、それぞれ、隣接するフレームの信号のそれぞれが供給されることになる。また、動きベクトル検出部３３には、隣接するフレームの信号が供給される。
【００７０】
例えば、動画像の信号が、サンプリング周波数Fsのサンプル当たり８ビットの信号である場合、フレームメモリ３１−１は、サンプリング周波数Fsのサンプル当たり８ビットの、動画像のフレームの信号をΔΣ変調部３２−１および動きベクトル検出部３３に供給する。
【００７１】
ΔΣ変調部３２−１は、フレームメモリ３１−１から供給された、１つのフレームの動画像の信号をΔΣ変調することで、パルス密度変調信号を生成する。
【００７２】
例えば、ΔΣ変調部３２−１は、入力された動画像の信号のサンプリング周波数Fsに対してn（nは正の整数）倍の周波数（以下、オーバーサンプリング周波数nFsと称する）で、フレームメモリ３１−１から供給された動画像の信号をオーバーサンプリングして、オーバーサンプリング周波数nFsのサンプル当たり１ビットのパルス密度変調信号を生成する。
【００７３】
ΔΣ変調部３２−１は、生成したパルス密度変調信号をフレーム補間部３４に供給する。
【００７４】
ΔΣ変調部３２−２は、フレームメモリ３１−２から供給された、ΔΣ変調部３２−１においてΔΣ変調されるフレームの１つ後の１つのフレームの動画像の信号をΔΣ変調することで、パルス密度変調信号を生成する。すなわち、ΔΣ変調部３２−２は、ΔΣ変調部３２−１においてΔΣ変調されるフレームの次のフレームの動画像の信号をΔΣ変調する。
【００７５】
例えば、ΔΣ変調部３２−２は、オーバーサンプリング周波数nFsで、フレームメモリ３１−２から供給された動画像の信号をオーバーサンプリングして、サンプル当たり１ビットのパルス密度変調信号を生成する。
【００７６】
ΔΣ変調部３２−２は、生成したパルス密度変調信号をフレーム補間部３４に供給する。
【００７７】
このように、ΔΣ変調部３２−１またはΔΣ変調部３２−２において生成されるパルス密度変調信号は、サンプル当たり１ビットとされ、パルス密度変調信号において、１ビットのパルスの密度で信号のレベル（画素の明るさ）が表現される。
【００７８】
すなわち、ΔΣ変調部３２−１およびΔΣ変調部３２−２は、それぞれ、基準時刻の間隔が1/nFs秒であるパルスからなるパルス密度変調信号を生成する。
【００７９】
動きベクトル検出部３３は、隣接するフレームの信号である、フレームメモリ３１−１から供給されたフレームの信号とフレームメモリ３１−２から供給されたフレームの信号とから、画像の動きを示す動きベクトルを検出する。
【００８０】
例えば、動きベクトル検出部３３は、ブロックマッチングまたは勾配法などの方式により、動きベクトルを検出する。
【００８１】
動きベクトル検出部３３は、検出した動きベクトルをフレーム補間部３４に供給する。
【００８２】
フレーム補間部３４は、ΔΣ変調部３２−１から供給されたパルス密度変調信号の各パルスを動き補償し、ΔΣ変調部３２−２から供給されたパルス密度変調信号の各パルスを動き補償する。そして、フレーム補間部３４は、各パルスが動き補償されたパルス密度変調信号により表示デバイス３６を駆動する。
【００８３】
フレーム補間部３４は、動き補償部５１−１、動き補償部５１−２、乗算器５２−１、乗算器５２−２、および加算器５３から構成される。
【００８４】
動き補償部５１−１は、動きベクトル検出部３３から供給された動きベクトルに応じて、ΔΣ変調部３２−１から供給されたパルス密度変調信号の各パルスを動き補償する。動き補償部５１−２は、動きベクトル検出部３３から供給された動きベクトルに応じて、ΔΣ変調部３２−２から供給されたパルス密度変調信号の各パルスを動き補償する。
【００８５】
以下、動き補償部５１−１と動き補償部５１−２とを個々に区別する必要がないとき、単に、動き補償部５１と称する。
【００８６】
ここで、図７乃至図９を参照して、動き補償部５１による、パルス密度変調信号の各パルスの動き補償について説明する。なお、図７乃至図９において、縦方向は、時間方向を示し、上側から下側に向かい時間が経過する。また、図７乃至図９において、横方向は、空間方向を示す。
【００８７】
図７乃至図９において、縦の一点鎖線のそれぞれは、１つの画素を示し、横の一点鎖線のそれぞれは、パルス密度変調信号の各パルスの基準時刻を示す。パルス密度変調信号の各パルスの基準時刻の間隔は、（１／オーバーサンプリング周波数nFs）秒となる。
【００８８】
図７は、動き補償部５１に供給されてくるパルス密度変調信号の例を示す図である。
【００８９】
図７に示される、Aで示される画素の画素値を示すパルス密度変調信号には、時間方向に、パルスa1、パルスa2、パルスa3、パルスa4、パルスa5、パルスa6、パルスa7、パルスa8、およびパルスa9が配置される。
【００９０】
パルス密度変調信号は、パルスの密度により信号の値を示すので、パルス密度変調信号におけるパルスの間隔は、（１／オーバーサンプリング周波数nFs）秒の間隔、すなわち、基準時刻を単位として、広がったり狭まったりする。
【００９１】
図７に示す例において、パルスa1とパルスa2との間隔は、2/nFs秒であり、パルスa2とパルスa3との間隔は、1/nFs秒であり、パルスa3とパルスa4との間隔は、3/nFs秒であり、パルスa4とパルスa5との間隔は、1/nFs秒である。同様に、パルスa5とパルスa6との間隔は、1/nFs秒であり、パルスa6とパルスa7との間隔は、2/nFs秒であり、パルスa7とパルスa8との間隔は、1/nFs秒であり、パルスa8とパルスa9との間隔は、2/nFs秒である。
【００９２】
図７に示される、Aで示される画素の右隣のBで示される画素の画素値を示すパルス密度変調信号には、時間方向に、パルスb1、パルスb2、パルスb3、パルスb4、パルスb5、パルスb6、パルスb7、パルスb8、およびパルスb9が配置される。
【００９３】
図７に示す例において、パルスb1は、パルスa1と同じ基準時刻に配置される。パルスb1とパルスb2との間隔は、1/nFs秒であり、パルスb2とパルスb3との間隔は、1/nFs秒であり、パルスb3とパルスb4との間隔は、2/nFs秒であり、パルスb4とパルスb5との間隔は、1/nFs秒である。同様に、パルスb5とパルスb6との間隔は、2/nFs秒であり、パルスb6とパルスb7との間隔は、2/nFs秒であり、パルスb7とパルスb8との間隔は、2/nFs秒であり、パルスb8とパルスb9との間隔は、1/nFs秒である。
【００９４】
図７に示される、Bで示される画素の右隣のCで示される画素の画素値を示すパルス密度変調信号には、時間方向に、パルスc1、パルスc2、パルスc3、パルスc4、パルスc5、パルスc6、パルスc7、パルスc8、およびパルスc9が配置される。
【００９５】
図７に示す例において、パルスc1は、パルスa1と同じ基準時刻に配置される。パルスc1とパルスc2との間隔は、2/nFs秒であり、パルスc2とパルスc3との間隔は、2/nFs秒であり、パルスc3とパルスc4との間隔は、2/nFs秒であり、パルスc4とパルスc5との間隔は、2/nFs秒である。同様に、パルスc5とパルスc6との間隔は、1/nFs秒であり、パルスc6とパルスc7との間隔は、1/nFs秒であり、パルスc7とパルスc8との間隔は、2/nFs秒であり、パルスc8とパルスc9との間隔は、1/nFs秒である。
【００９６】
図８および図９は、動きベクトルに応じた、パルス密度変調信号の各パルスの動き補償を説明する図である。
【００９７】
例えば、図８に示されるように、動き補償部５１は、動きベクトルの傾きに応じて、パルス密度変調信号を空間方向に傾ける。
【００９８】
具体的には、動き補償部５１は、動きベクトルから、パルス密度変調信号におけるパルスの（時間方向の）間隔と、画素の（空間方向の）間隔とで表される、動きベクトルの傾きを求める。例えば、動画像が１秒間に６０フレームからなる場合、隣接する２つのフレームの間の動きを示す動きベクトルが、１０画素の動きを示し、オーバーサンプリング周波数nFsが6000ヘルツであるとき、10/(6000/60)より、動きベクトルの傾きは、パルス密度変調信号におけるパルスの間隔当たり、0.1画素となる。
【００９９】
そして、動き補償部５１は、フレームの時刻を基準として、求めた動きベクトルの傾きだけ、パルス密度変調信号を傾ける。
【０１００】
例えば、図８に示されるように、6/nFs当たり１画素だけ、動きベクトルが右に傾いている場合、パルスa1、パルスb1、およびパルスc1の基準時刻が、フレームの時刻であるとき、動き補償部５１は、画素Aの画素値を示すパルス密度変調信号、画素Bの画素値を示すパルス密度変調信号、および画素Cの画素値を示すパルス密度変調信号のそれぞれを、パルスa1、パルスb1、およびパルスc1の基準時刻を軸として、6/nFs当たり１画素だけ右に傾ける。
【０１０１】
そして、動き補償部５１は、それぞれの画素およびパルス密度変調信号の各パルスの基準時刻とを基準として、傾けたパルス密度変調信号を整形する。すなわち、傾けられたパルス密度変調信号の各パルスは、最も近い画素と基準時刻とに配置される。
【０１０２】
その結果、例えば、図８および図９に示されるように、元の画素Aの画素値を示すパルス密度変調信号であって、傾けられたパルス密度変調信号のパルスa1およびパルスa2は、画素Aに最も近いので、画素Aのパルス密度変調信号のパルスとされる。
【０１０３】
元の画素Aの画素値を示すパルス密度変調信号であって、傾けられたパルス密度変調信号のパルスa3乃至パルスa6は、画素Bに最も近いので、画素Bのパルス密度変調信号のパルスとされる。
【０１０４】
元の画素Aの画素値を示すパルス密度変調信号であって、傾けられたパルス密度変調信号のパルスa7乃至パルスa9は、画素Cに最も近いので、画素Cのパルス密度変調信号のパルスとされる。
【０１０５】
また、例えば、図８および図９に示されるように、元の画素Bの画素値を示すパルス密度変調信号であって、傾けられたパルス密度変調信号のパルスb1乃至パルスb3は、画素Bに最も近いので、画素Bのパルス密度変調信号のパルスとされる。
【０１０６】
元の画素Bの画素値を示すパルス密度変調信号であって、傾けられたパルス密度変調信号のパルスb4乃至パルスb6は、画素Cに最も近いので、画素Cのパルス密度変調信号のパルスとされる。
【０１０７】
元の画素Bの画素値を示すパルス密度変調信号であって、傾けられたパルス密度変調信号のパルスb7乃至パルスb9は、画素Cの右隣の画素Dに最も近いので、画素Dのパルス密度変調信号のパルスとされる。
【０１０８】
さらに、例えば、図８および図９に示されるように、元の画素Cの画素値を示すパルス密度変調信号であって、傾けられたパルス密度変調信号のパルスc1およびパルスc2は、画素Cに最も近いので、画素Cのパルス密度変調信号のパルスとされる。
【０１０９】
元の画素Cの画素値を示すパルス密度変調信号であって、傾けられたパルス密度変調信号のパルスc3乃至パルスc5は、画素Dに最も近いので、画素Dのパルス密度変調信号のパルスとされる。
【０１１０】
元の画素Cの画素値を示すパルス密度変調信号であって、傾けられたパルス密度変調信号のパルスc6乃至パルスc9は、画素Dの右隣の画素Eに最も近いので、画素Eのパルス密度変調信号のパルスとされる。
【０１１１】
その結果、図９に示されるように、画素Aの画素値を示すパルス密度変調信号には、時間方向に、パルスa1およびパルスa2が配置され、パルスa1とパルスa2との間隔は、2/nFs秒となる。
【０１１２】
また、画素Bの画素値を示すパルス密度変調信号には、時間方向に、パルスb1、パルスb2、パルスb3、パルスa3、パルスa4、パルスa5、およびパルスa6が配置される。
【０１１３】
パルスb1は、パルスa1と同じ基準時刻に配置される。
【０１１４】
パルスb1とパルスb2との間隔は、1/nFs秒となり、パルスb2とパルスb3との間隔は、1/nFs秒となり、パルスb3とパルスa3との間隔は、1/nFs秒となり、パルスa3とパルスa4との間隔は、3/nFs秒となる。また、パルスa4とパルスa5との間隔は、1/nFs秒となり、パルスa5とパルスa6との間隔は、1/nFs秒となる。
【０１１５】
画素Cの画素値を示すパルス密度変調信号には、時間方向に、パルスc1、パルスc2、パルスb4、パルスb5、パルスb6、パルスa7、パルスa8、およびパルスa9が配置される。
【０１１６】
パルスc1は、パルスa1と同じ基準時刻に配置される。
【０１１７】
パルスc1とパルスc2との間隔は、2/nFs秒となり、パルスc2とパルスb4との間隔は、2/nFs秒となり、パルスb4とパルスb5との間隔は、1/nFs秒となり、パルスb5とパルスb6との間隔は、2/nFs秒となる。また、パルスb6とパルスa7との間隔は、3/nFs秒となり、パルスa7とパルスa8との間隔は、1/nFs秒となり、パルスa8とパルスa9との間隔は、2/nFs秒となる。
【０１１８】
画素Dの画素値を示すパルス密度変調信号には、時間方向に、パルスc3、パルスc4、パルスc5、パルスb7、パルスb8、およびパルスb9が配置される。
【０１１９】
パルスc3は、パルスb4と同じ基準時刻に配置される。
【０１２０】
パルスc3とパルスc4との間隔は、2/nFs秒となり、パルスc4とパルスc5との間隔は、2/nFs秒となり、パルスc5とパルスb7との間隔は、1/nFs秒となり、パルスb7とパルスb8との間隔は、2/nFs秒となる。また、パルスb8とパルスb9との間隔は、1/nFs秒となる。
【０１２１】
画素Eの画素値を示すパルス密度変調信号には、時間方向に、パルスc6、パルスc7、パルスc8、およびパルスc9が配置される。
【０１２２】
パルスc6は、パルスb7と同じ基準時刻に配置される。
【０１２３】
パルスc6とパルスc7との間隔は、1/nFs秒となり、パルスc7とパルスc8との間隔は、2/nFs秒となり、パルスc8とパルスc9との間隔は、1/nFs秒となる。
【０１２４】
このように、動き補償部５１−１は、動きベクトル検出部３３から供給された動きベクトルに応じて、ΔΣ変調部３２−１から供給されたパルス密度変調信号の各パルスを動き補償する。また、動き補償部５１−２は、動きベクトル検出部３３から供給された動きベクトルに応じて、ΔΣ変調部３２−２から供給されたパルス密度変調信号の各パルスを動き補償する。
【０１２５】
図１０に示されるように、ΔΣ変調部３２−１およびΔΣ変調部３２−２は、同じタイミングに、それぞれ、フレームメモリ３１−１から出力されたフレームの信号をパルス密度変調し、フレームメモリ３１−２から出力されたフレームの信号をパルス密度変調する。
【０１２６】
以下、フレームメモリ３１−１から出力された信号で示される動画像のフレームをフレーム１と称し、フレームメモリ３１−２から出力された信号で示される動画像のフレームをフレーム２と称する。フレーム２は、フレーム１の次のフレームである。
【０１２７】
すなわち、同じ時刻に、ΔΣ変調部３２−１およびΔΣ変調部３２−２は、それぞれ、フレーム１の信号のパルス密度変調を開始し、フレーム２の信号のパルス密度変調を開始する。また、同じ時刻に、ΔΣ変調部３２−１およびΔΣ変調部３２−２は、それぞれ、フレーム１の信号のパルス密度変調を終了し、フレーム２の信号のパルス密度変調を終了する。
【０１２８】
動画像におけるフレームの配置を考えると、ΔΣ変調部３２−１およびΔΣ変調部３２−２は、それぞれ、順に配置されているフレームを１つずつパルス密度変調する。
【０１２９】
ここで、フレームの時刻（フレームの最初の時刻）に注目して、ΔΣ変調部３２−１およびΔΣ変調部３２−２におけるパルス密度変調の開始および終了の時刻を表現する。
【０１３０】
フレームメモリ３１−１からフレームの信号が供給される時刻（供給が開始される時刻）を、そのフレームの時刻と表現する。すなわち、フレームメモリ３１−１からフレーム１の信号が供給される時刻を、フレーム１の時刻と称し、フレームメモリ３１−１からフレーム２の信号が供給される時刻を、フレーム２の時刻と称する。
【０１３１】
これにより、フレーム１の時刻およびフレーム２の時刻に注目して、ΔΣ変調部３２−１およびΔΣ変調部３２−２におけるパルス密度変調の開始および終了の時刻を、フレーム１の時刻とフレーム２の時刻とで表現することができる。
【０１３２】
フレーム１の時刻に、ΔΣ変調部３２−１およびΔΣ変調部３２−２は、それぞれ、フレーム１の信号のパルス密度変調を開始し、フレーム２の信号のパルス密度変調を開始し、フレーム２の時刻に、ΔΣ変調部３２−１およびΔΣ変調部３２−２は、それぞれ、フレーム１の信号のパルス密度変調を終了し、フレーム２の信号のパルス密度変調を終了すると言える。
【０１３３】
ΔΣ変調部３２−１は、フレーム１の信号を、フレーム１の時刻からフレーム２の時刻までの時間に配置されたパルス密度変調信号にパルス密度変調することになり、また、ΔΣ変調部３２−２は、フレーム２の信号を、フレーム１の時刻からフレーム２の時刻までの時間に配置されたパルス密度変調信号にパルス密度変調することになる。
【０１３４】
逆に言えば、フレーム１の信号からΔΣ変調部３２−１によるパルス密度変調により得られたパルス密度変調信号は、フレーム１の時刻からフレーム２の時刻までの時間に配置される。また、フレーム２の信号からΔΣ変調部３２−２によるパルス密度変調により得られたパルス密度変調信号は、フレーム１の時刻からフレーム２の時刻までの時間に配置される。
【０１３５】
従って、動き補償部５１−１は、フレーム１の時刻からフレーム２の時刻までの時間に配置されている、フレーム１の信号がパルス密度変調されたパルス密度変調信号の各パルスを動き補償する。また、動き補償部５１−２は、フレーム１の時刻からフレーム２の時刻までの時間に配置されている、フレーム２の信号がパルス密度変調されたパルス密度変調信号の各パルスを動き補償する。
【０１３６】
図１０に示されるように、動き補償部５１−１は、フレーム１の時刻からフレーム２の時刻までの時間に配置されている、フレーム１の信号がパルス密度変調されたパルス密度変調信号の各パルスを、フレーム１を基準としてフレーム２への動きを示す動きベクトルに応じて動き補償する。また、動き補償部５１−２は、フレーム１の時刻からフレーム２の時刻までの時間に配置されている、フレーム２の信号がパルス密度変調されたパルス密度変調信号の各パルスを、フレーム２を基準としてフレーム１からの動きを示す動きベクトルに応じて動き補償する。
【０１３７】
このように、動き補償部５１−１は、フレーム１の信号がパルス密度変調され、各パルスが動き補償されたパルス密度変調信号であって、フレーム１の時刻からフレーム２の時刻までの時間に配置されたパルス密度変調信号を出力することになる。また、動き補償部５１−２は、フレーム２の信号がパルス密度変調され、各パルスが動き補償されたパルス密度変調信号であって、フレーム１の時刻からフレーム２の時刻までの時間に配置されたパルス密度変調信号を出力することになる。
【０１３８】
動き補償部５１−１は、各パルスを動き補償したパルス密度変調信号を乗算器５２−１に供給する。また、動き補償部５１−２は、各パルスを動き補償したパルス密度変調信号を乗算器５２−２に供給する。
【０１３９】
乗算器５２−１は、動き補償部５１−１から供給された、パルス密度変調信号の各パルスに重みαを乗算する。乗算器５２−１は、動き補償部５１−１から供給された、パルス密度変調信号のパルスのそれぞれをビットとして、それぞれのビットに重みαを乗算する。
【０１４０】
例えば、乗算器５２−１は、フレーム１の信号がパルス密度変調され、各パルスが動き補償されたパルス密度変調信号であって、フレーム１の時刻からフレーム２の時刻までの時間に配置されたパルス密度変調信号に、フレーム１の時刻からフレーム２の時刻までの時間と、各パルスの時刻からフレーム２の時刻までの時間との比率を重みαとして重み付けする。
【０１４１】
乗算器５２−１は、各パルス（ビット）に重みαを乗算したパルス密度変調信号を加算器５３に供給する。
【０１４２】
乗算器５２−２は、動き補償部５１−２から供給された、パルス密度変調信号の各パルスに重み（1-α）を乗算する。乗算器５２−２は、動き補償部５１−２から供給された、パルス密度変調信号のパルスのそれぞれをビットとして、それぞれのビットに重み（1-α）を乗算する。
【０１４３】
例えば、乗算器５２−２は、フレーム２の信号がパルス密度変調され、各パルスが動き補償されたパルス密度変調信号であって、フレーム１の時刻からフレーム２の時刻までの時間に配置されたパルス密度変調信号に、フレーム１の時刻からフレーム２の時刻までの時間と、フレーム１の時刻から各パルスの時刻までの時間との比率を重み（1-α）として重み付けする。
【０１４４】
乗算器５２−２は、各パルス（ビット）に重み（1-α）を乗算したパルス密度変調信号を加算器５３に供給する。
【０１４５】
加算器５３は、乗算器５２−１からのパルス密度変調信号と乗算器５２−２からのパルス密度変調信号とを加算する。すなわち、加算器５３は、それぞれに重み付けされた、フレーム１の信号がパルス密度変調されたパルス密度変調信号とフレーム２の信号がパルス密度変調されたパルス密度変調信号とを加算する。
【０１４６】
具体的には、例えば、加算器５３は、乗算器５２−１からの、各ビットに重みαが乗算されたパルス密度変調信号と、乗算器５２−２からの、各ビットに重み（1-α）が乗算されたパルス密度変調信号とを、同じ画素であって同じ基準時刻のビット同士を加算するように加算する。
【０１４７】
加算器５３は、加算の結果得られた信号を出力する。
【０１４８】
このように、フレーム補間部３４は、ΔΣ変調部３２−１から供給されたパルス密度変調信号の各パルスを動き補償し、ΔΣ変調部３２−２から供給されたパルス密度変調信号の各パルスを動き補償する。そして、フレーム補間部３４は、それぞれのパルス密度変調信号を重み付けして、重み付けされたパルス密度変調信号を加算して、出力する。
【０１４９】
なお、フレーム１の時刻からフレーム２の時刻までの時間と、フレーム１の時刻から各パルスの時刻までの時間または各パルスの時刻からフレーム２の時刻までの時間との比率の重みによって、パルス密度変調信号が重み付けされると説明したが、これに限らず、予め決められた重み、または動きベクトルに応じて決めた重みによって重み付けされるようにしても、フレーム１の時刻からフレーム２の時刻までの時間を所定の数の期間に分割して、その期間に応じて決められた重みによって重み付けされるようにしてもよい。
【０１５０】
ΔΣ変調部３５は、フレーム補間部３４から供給された信号をΔΣ変調することで、パルス密度変調信号を生成する。ΔΣ変調部３５は、生成したパルス密度変調信号を表示デバイス３６に供給する。
【０１５１】
例えば、ΔΣ変調部３５は、フレーム補間部３４から供給された信号を、オーバーサンプリング周波数nFsのサンプル当たり１ビットのパルス密度変調信号に変調する。
【０１５２】
表示デバイス３６は、LCDまたはPDPなどであり、フレーム補間部３４（ΔΣ変調部３５）の駆動により、パルス密度変調信号に応じた画像を表示する。
【０１５３】
例えば、LCDである表示デバイス３６が駆動される場合、パルス密度変調信号は、表示デバイス３６の、いわゆる走査線と信号線のうち、信号線に印加される。
【０１５４】
例えば、PDPである表示デバイス３６が駆動される場合、パルス密度変調信号は、発光セルにおける発光を維持させるための信号として、表示デバイス３６に印加される。
【０１５５】
なお、PDPである表示デバイス３６が駆動される場合、パルス密度変調信号のパルスの密度によってそれぞれの発光セルから発せられる光の強度が変えられるので、いわゆるアドレス放電は、全てのセルについて行われ、１つのフレームにおけるそれぞれのサブフレームの長さは、同じとされる。すなわち、１つのフレームにおけるそれぞれのサブフレームの長さは、２の１乗乃至２のｎ（ｎは正の整数）乗の比率によらず、一定とされる。
【０１５６】
図１１に示されるように、表示デバイス３６を駆動するパルス密度変調信号のパルスは、１フレーム当たりの時間に関わらず、時間方向および空間方向に対して、ほぼ直線的に動きに応じて配置されることになる。
【０１５７】
なお、図１１において、縦方向は、時間方向を示し、上側から下側に向かい時間が経過する。図１１において、横方向は、空間方向を示す。
【０１５８】
図１１中のＥで示されるように、動きのある物体の画像が背景と混合されることはなく、動画ボケが生じない。
【０１５９】
表示デバイス３６がLCDである場合、図１２に示されるように、動画ボケは、表示デバイス３６の液晶の応答速度にのみ依存して発生することになる。
【０１６０】
なお、LCDの液晶の、白と黒との間で変化させるときの反応速度は、ハーフトーンにおいて変化させる場合に比較して速いので、白と黒との間で変化させるパルスからなるパルス密度変調信号により駆動される場合、LCDの液晶はより速く反応する。
【０１６１】
図１３は、固定視における動画ボケを説明する図である。
【０１６２】
上述したように、入力された画像信号に応じた、それぞれの画素についてのパルス密度変調信号の各パルスが、動き補償されて、パルス密度変調信号は、空間方向に斜めに、すなわち表示デバイス３６の複数の画素を駆動するように用いられることになる。
【０１６３】
図１３の一点鎖線に示されるように、複数の動き補償されたパルス密度変調信号によって、表示デバイス３６のそれぞれの画素が駆動される。
【０１６４】
表示デバイス３６の表示画面に対して視点を固定した固定視において、表示デバイス３６のそれぞれの画素の濃淡を決定する、表示デバイス３６のそれぞれの画素を駆動するパルスが配置される方向と、視覚が積分する方向とが等しいので、画像の階調は正しく再現されることになる。
【０１６５】
なお、フレームメモリ３１−１、フレームメモリ３１−２、ΔΣ変調部３２−１、ΔΣ変調部３２−２、動きベクトル検出部３３、フレーム補間部３４、ΔΣ変調部３５、および表示デバイス３６によって、表示装置を構成するようにしてもよい。
【０１６６】
図１４は、表示の処理の例を説明するフローチャートである。ステップＳ１１において、ΔΣ変調部３２−２は、前方の参照されるフレームをフレームメモリ３１−２から取得して、取得したフレームをΔΣ変調する。
【０１６７】
ステップＳ１２において、ΔΣ変調部３２−１は、後方の参照されるフレームをフレームメモリ３１−１から取得して、取得したフレームをΔΣ変調する。
【０１６８】
ステップＳ１３において、フレーム補間部３４の動き補償部５１−２は、動きベクトル検出部３３から供給される動きベクトルに応じて、前方の参照されるフレームがΔΣ変調されて得られたパルス密度変調信号の各パルスを動き補償する。
【０１６９】
ステップＳ１４において、フレーム補間部３４の乗算器５２−２は、前方の参照されるフレームの、動き補償されたパルス密度変調信号の各パルスのそれぞれに重み付けする。すなわち、ステップＳ１４において、乗算器５２−２は、前方の参照されるフレームの、動き補償されたパルス密度変調信号の各パルスのそれぞれをビットとして、それぞれのビットに重み付けする。
【０１７０】
ステップＳ１５において、フレーム補間部３４の動き補償部５１−１は、動きベクトル検出部３３から供給される動きベクトルに応じて、後方の参照されるフレームがΔΣ変調されて得られたパルス密度変調信号の各パルスを動き補償する。
【０１７１】
ステップＳ１６において、フレーム補間部３４の乗算器５２−１は、後方の参照されるフレームの、動き補償されたパルス密度変調信号の各パルスのそれぞれに重み付けする。すなわち、ステップＳ１６において、乗算器５２−１は、後方の参照されるフレームの、動き補償されたパルス密度変調信号のパルスのそれぞれをビットとして、それぞれのビットに重み付けする。
【０１７２】
ステップＳ１７において、フレーム補間部３４の加算器５３は、それぞれに重み付けされた、前方の参照されるフレームのビットと後方の参照されるフレームのビットとを加算する。
【０１７３】
ステップＳ１８において、ΔΣ変調部３５は、加算器５３における加算の結果をΔΣ変調する。ステップＳ１９において、表示デバイス３６は、加算の結果がΔΣ変調されて得られた信号で駆動されて、手続きは、ステップＳ１１に戻り、上述した処理を繰り返す。
【０１７４】
このように、表示デバイス３６に表示される画像の動画ボケをより少なくすることができる。
【０１７５】
図１５は、本発明の一実施の形態の表示制御装置の構成のさらに他の例を示すブロック図である。図１５の表示制御装置は、フレームメモリ７１−１、フレームメモリ７１−２、ΔΣ変調部７２−１、ΔΣ変調部７２−２、動きベクトル検出部７３、フレーム補間部７４、およびスイッチ７５からなる。図１５の表示制御装置は、表示デバイス７６に、入力された動画像（入力動画）の信号に応じた画像を表示させる。
【０１７６】
表示制御装置に入力された動画像（入力動画）の信号は、フレームメモリ７１−２に供給される。例えば、サンプリング周波数Fsのサンプル当たり８ビットの、いわゆるベースバンドの動画像の信号が表示制御装置に入力される。
【０１７７】
フレームメモリ７１−２は、フレームメモリ３１−２と同様に構成され、入力された動画像の信号を、フレームを単位として一時的に記憶する。フレームメモリ７１−２は、記憶している動画像のフレームの信号を、フレームメモリ７１−１、ΔΣ変調部７２−２、および動きベクトル検出部７３に供給する。
【０１７８】
フレームメモリ７１−１は、フレームメモリ３１−１と同様に構成され、フレームメモリ７１−２から供給された動画像のフレームの信号を、フレームを単位として一時的に記憶する。フレームメモリ７１−１は、記憶している動画像のフレームの信号をΔΣ変調部７２−１および動きベクトル検出部７３に供給する。
【０１７９】
ΔΣ変調部７２−１は、ΔΣ変調部３２−１と同様に構成され、フレームメモリ７１−１から供給された、１つのフレームの動画像の信号をΔΣ変調することで、パルス密度変調信号を生成する。ΔΣ変調部７２−１は、生成したパルス密度変調信号をフレーム補間部７４に供給する。
【０１８０】
例えば、ΔΣ変調部７２−１は、フレームメモリ７１−１から供給された、サンプリング周波数Fsのサンプル当たり８ビットの動画像のフレームの信号を、サンプリング周波数Fsに対してn倍の周波数のオーバーサンプリング周波数nFsで、オーバーサンプリングして、オーバーサンプリング周波数nFsのサンプル当たり１ビットのパルス密度変調信号を生成する。
【０１８１】
ΔΣ変調部７２−２は、ΔΣ変調部３２−２と同様に構成され、フレームメモリ７１−２から供給された、ΔΣ変調部７２−１においてΔΣ変調されるフレームの１つ後の１つのフレームの動画像の信号をΔΣ変調することで、パルス密度変調信号を生成する。ΔΣ変調部７２−２は、生成したパルス密度変調信号をフレーム補間部７４に供給する。
【０１８２】
例えば、ΔΣ変調部７２−２は、フレームメモリ７１−２から供給された、サンプリング周波数Fsのサンプル当たり８ビットの動画像のフレームの信号を、サンプリング周波数Fsに対してn倍の周波数のオーバーサンプリング周波数nFsで、オーバーサンプリングして、オーバーサンプリング周波数nFsのサンプル当たり１ビットのパルス密度変調信号を生成する。
【０１８３】
すなわち、ΔΣ変調部７２−１およびΔΣ変調部７２−２は、それぞれ、基準時刻の間隔が1/nFs秒であるパルスからなるパルス密度変調信号を生成する。
【０１８４】
動きベクトル検出部７３は、動きベクトル検出部３３と同様に構成され、隣接するフレームの信号である、フレームメモリ７１−１から供給されたフレームの信号とフレームメモリ７１−２から供給されたフレームの信号とから、画像の動きを示す動きベクトルを検出する。動きベクトル検出部７３は、検出した動きベクトルをフレーム補間部７４に供給する。
【０１８５】
フレーム補間部７４は、ΔΣ変調部７２−１から供給されたパルス密度変調信号の各パルスを動き補償し、ΔΣ変調部７２−２から供給されたパルス密度変調信号の各パルスを動き補償し、それぞれのパルス密度変調信号をスイッチ７５に供給する。
【０１８６】
また、フレーム補間部７４は、フレームとパルス密度変調信号の各パルスとの位置に応じた重みαをスイッチ７５に供給する。
【０１８７】
フレーム補間部７４は、動き補償部９１−１および動き補償部９１−２から構成される。
【０１８８】
動き補償部９１−１は、動き補償部５１−１と同様に構成され、動きベクトル検出部７３から供給された動きベクトルに応じて、ΔΣ変調部７２−１から供給されたパルス密度変調信号の各パルスを動き補償する。
【０１８９】
動き補償部９１−２は、動き補償部５１−２と同様に構成され、動きベクトル検出部７３から供給された動きベクトルに応じて、ΔΣ変調部７２−２から供給されたパルス密度変調信号の各パルスを動き補償する。
【０１９０】
動き補償部９１−１において各パルスが動き補償されたパルス密度変調信号は、スイッチ７５の一方の端子に供給され、動き補償部９１−２において各パルスが動き補償されたパルス密度変調信号は、スイッチ７５の他方の端子に供給される。
【０１９１】
スイッチ７５は、フレーム補間部７４から供給された重みαに応じて、動き補償部９１−１からのパルス密度変調信号が表示デバイス７６に供給されるか、または動き補償部９１−２からのパルス密度変調信号が表示デバイス７６に供給されるように、接点の接続を切り替える。
【０１９２】
例えば、スイッチ７５は、１つのフレームの時間が所定の数に分割された、それぞれ同じ長さのサブフレームのうちの、サブフレームの最初の時間であって、フレーム補間部７４から供給された重みαに応じた長さの時間、動き補償部９１−１からのパルス密度変調信号が表示デバイス７６に供給され、サブフレームの残りの時間、動き補償部９１−２からのパルス密度変調信号が表示デバイス７６に供給されるように、接点の接続を切り替える。
【０１９３】
この場合、例えば、重みαは、１つのフレームの時間に対する、サブフレームの時刻からフレームの最後の時刻までの時間の比率とされる。
【０１９４】
より具体的には、図１６に示されるように、スイッチ７５は、フレーム補間部７４から０以上１以下の重みαが供給される場合、サブフレームの期間の長さを１としたとき、サブフレームの最初の期間であって、重みαの長さの期間において、動き補償部９１−１からのパルス密度変調信号が表示デバイス７６に供給され、そのサブフレームの残りの期間である、１−αの長さの期間において、動き補償部９１−２からのパルス密度変調信号が表示デバイス７６に供給されるように、接点の接続を切り替える。
【０１９５】
表示デバイス７６は、LCDまたはPDPなどであり、スイッチ７５を介して供給された、オーバーサンプリング周波数nFsのサンプル当たり１ビットのパルス密度変調信号によって駆動され、パルス密度変調信号に応じた画像を表示する。
【０１９６】
図１７は、表示の処理の他の例を説明するフローチャートである。ステップＳ３１において、ΔΣ変調部７２−２は、前方の参照されるフレームをフレームメモリ７１−２から取得して、取得したフレームをΔΣ変調する。
【０１９７】
ステップＳ３２において、ΔΣ変調部７２−１は、後方の参照されるフレームをフレームメモリ７１−１から取得して、取得したフレームをΔΣ変調する。
【０１９８】
ステップＳ３３において、フレーム補間部７４の動き補償部９１−２は、動きベクトル検出部７３から供給される動きベクトルに応じて、前方の参照されるフレームがΔΣ変調されて得られたパルス密度変調信号の各パルスを動き補償する。
【０１９９】
ステップＳ３４において、フレーム補間部７４は、前方の参照されるフレームの、動き補償されたパルス密度変調信号のパルスで、サブフレームのうちの、１つのフレームの時間に対する、サブフレームの時刻からフレームの最後の時刻までの時間の比率である重みαに応じた長さの最初の期間、表示デバイス７６を駆動する。すなわち、フレーム補間部７４は、サブフレームのうちの最初の期間であって、重みαに応じた長さの期間において、前方の参照されるフレームの、動き補償されたパルス密度変調信号のパルスで表示デバイス７６を駆動する。
【０２００】
例えば、ステップＳ３４において、フレーム補間部７４は、１である長さのサブフレームのうちの最初の重みαの長さの期間において、動き補償部９１−２と表示デバイス７６とを接続するスイッチ７５を介して、前方の参照されるフレームの、動き補償されたパルス密度変調信号のパルスで表示デバイス７６を駆動する。
【０２０１】
ステップＳ３５において、フレーム補間部７４の動き補償部９１−１は、動きベクトル検出部７３から供給される動きベクトルに応じて、後方の参照されるフレームがΔΣ変調されて得られたパルス密度変調信号の各パルスを動き補償する。
【０２０２】
ステップＳ３６において、フレーム補間部７４は、後方の参照されるフレームの、動き補償されたパルス密度変調信号のパルスで、サブフレームの残りの期間、表示デバイス７６を駆動する。すなわち、フレーム補間部７４は、サブフレームのうちの後ろの期間であって、1-αに応じた長さの期間において、後方の参照されるフレームの、動き補償されたパルス密度変調信号のパルスで表示デバイス７６を駆動する。
【０２０３】
例えば、ステップＳ３６において、フレーム補間部７４は、１である長さのサブフレームのうちの最後の1-αの長さの期間において、動き補償部９１−１と表示デバイス７６とを接続するスイッチ７５を介して、後方の参照されるフレームの、動き補償されたパルス密度変調信号のパルスで表示デバイス７６を駆動する。
【０２０４】
そして、手続きは、ステップＳ３１に戻り、上述した処理を繰り返す。
【０２０５】
このように、表示デバイス７６に表示される画像の動画ボケをより少なくすることができる。
【０２０６】
以上のように、動画ボケを大幅に改善することができる。
【０２０７】
表示デバイス３６または表示デバイス７６がLCDである場合、バックライトスキャン方式に見られるような輝度の低下は発生しない。
【０２０８】
表示デバイス３６または表示デバイス７６がPDPである場合、疑似輪郭ノイズを大幅に削減することができる。
【０２０９】
表示デバイス３６または表示デバイス７６がPDPである場合、サブフレームの長さが一定となるので、非線形歪みは生じない。
【０２１０】
表示デバイス３６または表示デバイス７６として、LCDまたはPDPに限らず、DMD（digital micromirror device）（商標）などの各種の表示デバイスを用いることができ、単一の駆動方式を使うことができる。
【０２１１】
このように、動画像の信号をパルス密度変調して得られたパルス密度変調信号で表示デバイスを駆動するようにした場合には、表示デバイスに動画像を表示させることができる。また、動画像の信号をパルス密度変調し、パルス密度変調された動画像の信号であるパルス密度変調信号の各パルスを動き補償するようにした場合には、動画ボケをより少なくすることができる。
【０２１２】
なお、表示制御装置は、テレビジョン受像機またはディスプレイの一部として構成されるようにすることもできるし、セットトップボックス、ハードディスクレコーダプレーヤ、光ディスクレコーダプレーヤ、またはAV（Audio Visual）アンプリファイァなどの一部として構成されるようにすることもできる。
【０２１３】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２１４】
図１８は、上述した一連の処理をプログラムにより実行するコンピュータのハードウェアの構成例を示すブロック図である。
【０２１５】
コンピュータにおいて、CPU（Central Processing Unit）２０１，ROM（Read Only Memory）２０２，RAM（Random Access Memory）２０３は、バス２０４により相互に接続されている。
【０２１６】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【０２１７】
なお、CPU２０１として、”Ｃｅｌｌ誕生”、日経エレクトロニクス、日経BP社、２００５年２月２８日、８９頁乃至１１７頁に記載されているＣｅｌｌを採用することができる。
【０２１８】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０２１９】
コンピュータ（CPU２０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【０２２０】
そして、プログラムは、リムーバブルメディア２１１をドライブ２１０に装着することにより、入出力インタフェース２０５を介して、記憶部２０８に記憶することで、コンピュータにインストールすることができる。また、プログラムは、有線または無線の伝送媒体を介して、通信部２０９で受信し、記憶部２０８に記憶することで、コンピュータにインストールすることができる。その他、プログラムは、ROM２０２や記憶部２０８にあらかじめ記憶しておくことで、コンピュータにあらかじめインストールしておくことができる。
【０２２１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２２２】
なお、本発明の実施の形態は、上述した実施の形態に限定されるものではなく、本発明の要旨を逸脱しない範囲において種々の変更が可能である。
【図面の簡単な説明】
【０２２３】
【図１】LCDにおける動画ボケを説明する図である。
【図２】PDPにおける動画ボケを説明する図である。
【図３】高フレームレートの画像の動画ボケを説明する図である。
【図４】表示デバイスをパルス密度変調信号で駆動する場合の動画ボケを説明する図である。
【図５】本発明の一実施の形態の表示制御装置の構成の一例を示すブロック図である。
【図６】本発明の一実施の形態の表示制御装置の構成の他の例を示すブロック図である。
【図７】動き補償部に供給されてくるパルス密度変調信号の例を示す図である。
【図８】パルス密度変調信号の各パルスの動き補償を説明する図である。
【図９】パルス密度変調信号の各パルスの動き補償を説明する図である。
【図１０】動画像の信号、パルス密度変調信号、およびパルスが動き補償されたパルス密度変調信号を説明する図である。
【図１１】表示デバイスを駆動するパルス密度変調信号を説明する図である。
【図１２】認知される画像における動画ボケを説明する図である。
【図１３】固定視における動画ボケを説明する図である。
【図１４】表示の処理の例を説明するフローチャートである。
【図１５】本発明の一実施の形態の表示制御装置の構成のさらに他の例を示すブロック図である。
【図１６】パルス密度変調信号の切り替えを説明する図である。
【図１７】表示の処理の他の例を説明するフローチャートである。
【図１８】コンピュータのハードウェアの構成例を示すブロック図である。
【符号の説明】
【０２２４】
１１−１および１１−２  フレームメモリ，  １２  フレーム補間部，  １３  ΔΣ変調部１３，  １４  表示デバイス，  ３１−１および３１−２  フレームメモリ，  ３２−１および３２−２  ΔΣ変調部，  ３３  動きベクトル検出部，  ３４  フレーム補間部，  ３５  ΔΣ変調部，  ３６  表示デバイス，  ５１−１，５１−２，および５１  動き補償部，  ５２−１および５２−２  乗算器，  ５３  加算器，  ７１−１および７１−２  フレームメモリ，  ７２−１および７２−２  ΔΣ変調部，  ７３  動きベクトル検出部，  ７４  フレーム補間部，  ７５  スイッチ，  ７６  表示デバイス，  ９１−１および９１−２  動き補償部，  ２０１  CPU，  ２０２  ROM，  ２０３  RAM，  ２０８  記憶部，  ２１１  リムーバブルメディア
【図１】
2008276084.tif 000003
【図２】
2008276084.tif 000004
【図３】
2008276084.tif 000005
【図４】
2008276084.tif 000006
【図５】
2008276084.tif 000007
【図６】
2008276084.tif 000008
【図７】
2008276084.tif 000009
【図８】
2008276084.tif 000010
【図９】
2008276084.tif 000011
【図１０】
2008276084.tif 000012
【図１１】
2008276084.tif 000013
【図１２】
2008276084.tif 000014
【図１３】
2008276084.tif 000015
【図１４】
2008276084.tif 000016
【図１５】
2008276084.tif 000017
【図１６】
2008276084.tif 000018
【図１７】
2008276084.tif 000019
【図１８】
2008276084.tif 000020